(57)【要約】【課題】屋外用機器の排気を妨げず、しかも、設置コストの低下、設置作業時間の短縮化等を達成することができるようにした吸音パネルユニットを提供する。【解決手段】屋外用機器１は周囲を防音壁２で覆われている。屋外用機器１の上方には、吸音パネルユニット３が設置されている。この吸音パネルユニット３は複数の吸音パネルを有しており、各吸音パネルは両面に多数の孔が形成され、内部には吸音材が内蔵されて構成されている。そして、複数の吸音パネルは、水平面に対してほぼ９０度（略垂直状態）を成して所定方向に間隔をあけて配列されている。【選択図】  図１
2006017393.tif 000002
【特許請求の範囲】
【請求項１】
周囲を防音壁で覆われた屋外用機器であって、熱ドラフト効果による空気の移動により排気を要する、そのような屋外用機器の上方に設置され、前記屋外用機器から発せられる騒音を抑制する吸音パネルユニットであって、
少なくとも両面に多数の孔が形成され、内部には吸音材が内蔵される、複数の吸音パネルと、
前記複数の吸音パネルを前記屋外用機器の上方位置で支持する支持手段と、
を有し、
前記複数の吸音パネルは、前記支持手段に支持されて、水平面に対して平行でない所定の角度を成して所定方向に配列されていることを特徴とする吸音パネルユニット。
【請求項２】
複数枚の吸音パネルが重ねられた状態と、１枚の吸音パネルの単独状態とが、前記所定方向に交互に配列されている、請求項１記載の吸音パネルユニット。
【請求項３】
前記吸音パネルが、水平面に対して略垂直状態で取り付けられている、請求項１又は２記載の吸音パネルユニット。
【請求項４】
前記屋外用機器はコージェネレーションシステムに使用される機器である、請求項１〜３の何れかに記載の吸音パネルユニット。
【請求項５】
前記屋外用機器は屋外用熱源機器である、請求項１〜３の何れかに記載の吸音パネルユニット。
【請求項６】
前記支持手段は、
前記吸音パネルの両側方にそれぞれ配置され、両端部が前記防音壁が取付られる骨組構造に固定された長手状支持部材と、
前記吸音パネルの側部と長手状支持部材とを固定する固定具と、
を備えた、請求項１〜５の何れかに記載の吸音パネルユニット。
【発明の詳細な説明】
【技術分野】
【０００１】
本発明は、熱ドラフト効果による空気の移動により排気を要する屋外用機器［例えば、コージェネレーションシステムに使用される機器や、冷却機（クーリングタワー）、チラー等の屋外熱源機器］の上方に設置され、屋外用機器から発せられる騒音を抑制する吸音パネルユニットに関する。
【背景技術】
【０００２】
コージェネレーションシステムに使用される機器や、冷却機（クーリングタワー）、チラー等の屋外熱源機器のような、熱ドラフト効果による空気の移動により排気を要する屋外用機器（以下、単に屋外用機器と称する。）は、排気のために空気が上方に流れるようにしておくことが必要である。そのため、屋外用機器の騒音抑制のためであっても、屋外用機器の上方を閉塞することは許されない。
【０００３】
そこで、従来では、屋外用機器の騒音抑制のための従来例としては、図１１及び図１２に示されているように、屋外用機器５０の周囲に防音壁５１を設け、屋外用機器５０の上方に複数の排気サイレンサー５２を間隔をあけて設置するようにしている。これにより、屋外用機器５０から上方に熱ドラフト効果による空気の移動がなされるとともに、その際に屋外用機器５０からの騒音が排気サイレンサー５２を通過して吸音され、その結果、屋外用機器５０の騒音が外部に対して遮音されるようになっている。
【０００４】
しかしながら、上記従例では、排気サイレンサー５２を使用するため、設置コストがかかる。また、排気サイレンサー５２がケーシングと吸音体エレメントとから構成されため、その重量が大きく、現地での設置作業が面倒となり、作業時間がかかる。さらに、排気サイレンサー５２を屋外用機器５０の上方に設置するには、排気サイレンサー５２を例えば防音壁取付用骨組構造の上部に固定する必要がある。この際、上記したように、排気サイレンサー５２の重量が大きいため、骨組構造に使用する荷重が大となる。その結果、骨組構造に使用する鋼材は径の大きいものを使用する必要が生じ、コストが増大する。
【０００５】
ところで、屋内の反響音を吸音する公知技術としては、天井から吸音パネルを吊り下げる方法（特開２００１−２２７２８９号公報参照）、天井設備設置穴を有する吸音パネルを備えた天井パネルユニット（特開平７−２９２８３６号公報参照）等が提案されている。
【０００６】
【特許文献１】特開２００１−２２７２８９号公報
【特許文献２】特開平７−２９２８３６号公報
【発明の開示】
【発明が解決しようとする課題】
【０００７】
しかしながら、上記特許文献１及び特許文献２は、何れも屋内用の吸音に関する技術であり、屋外用機器の騒音抑制に適用できない。
【０００８】
そこで、従来から、上記の排気サイレンサーを設置した場合のコストの増大や、設置作業時間に長時間を要する等の種々の問題を解決した、屋外用機器の騒音対策技術が所望されていた。
【０００９】
本発明は、上記の実情を鑑みて考え出されたものであり、その目的は、屋外用機器の排気を妨げず、しかも、設置コストの低下、設置作業時間の短縮化等を達成することができるようにした吸音パネルユニットを提供することである。
【課題を解決するための手段】
【００１０】
上記目的を達成するために、本発明のうち請求項１記載の発明は、周囲を防音壁で覆われた屋外用機器であって、熱ドラフト効果による空気の移動により排気を要する、そのような屋外用機器の上方に設置され、前記屋外用機器から発せられる騒音を抑制する吸音パネルユニットであって、少なくとも両面に多数の孔が形成され、内部には吸音材が内蔵される、複数の吸音パネルと、複数の吸音パネルを前記屋外用機器の上方位置で支持する支持手段と、を有し、複数の吸音パネルは、支持手段に支持されて、水平面に対して平行でない所定の角度を成して所定方向に配列されていることを特徴とする。
【００１１】
上記構成により、屋外用機器から上方に熱ドラフト効果による空気の移動がなされるとともに、その際に屋外用機器からの騒音が吸音パネル間を通過して吸音され、その結果、屋外用機器の騒音が外部に対して遮音されることになる。
また、吸音パネルを使用する構成により、排気サイレンサーを使用する従来例に比べて、コストの低減を図ることができ、また、現地での設置作業が容易となる。
【００１２】
また、請求項２記載の発明は、請求項１記載の吸音パネルユニットであって、複数枚の吸音パネルが重ねられた状態と、１枚の吸音パネルの単独状態とが、前記所定方向に交互に配列されていることを特徴とする。
【００１３】
上記構成によってもまた、請求項１記載の発明と同様な作用・効果を奏する。
【００１４】
また、請求項３記載の発明は、請求項１又は２記載の吸音パネルユニットであって、吸音パネルが、水平面に対して略垂直状態で取り付けられていることを特徴とする。
【００１５】
上記構成により、屋外用機器から上方への空気の流れがより円滑になり、排気効果を低下させることがなく、また、吸音面積を大きくとることができるので、遮音効果も増大する。
【００１６】
また、請求項４記載の発明は、請求項１〜３の何れかに記載の吸音パネルユニットであって、屋外用機器はコージェネレーションシステムに使用される機器であることを特徴する。
【００１７】
上記構成により、コージェネレーションシステムに使用される機器から発せられる騒音を抑制できる。
【００１８】
また、請求項５記載の発明は、請求項１〜３の何れかに記載の吸音パネルユニットであって、屋外用機器は屋外用熱源機器であることを特徴とする。
【００１９】
上記構成により、屋外用熱源機器、例えば、冷却機（クーリングタワー）や、チラー等から発せられる騒音を抑制できる。
【００２０】
また、請求項６記載の発明は、請求項１〜５の何れかに記載の吸音パネルユニットであって、支持手段は、吸音パネルの両側方にそれぞれ配置され、両端部が前記防音壁が取付られる骨組構造に固定された長手状支持部材と、吸音パネルの側部と長手状支持部材とを固定する固定具と、を備えたことを特徴とする。
【００２１】
上記構成により、排気サイレンサーを使用する従来例に比べて、骨組構造に作用する荷重が小さくなるため、骨組構造を構成する鋼材は径の小さいものを使用することが可能となる。
【発明の効果】
【００２２】
本発明によれば、以下の効果を奏する。
（１）屋外用機器の熱ドラフト効果による空気の移動を妨げることなく、屋外用機器の騒音を抑制することができる。
【００２３】
（２）排気サイレンサーを使用した従来例では、騒音を抑制できても、排気サイレンサー自体の価格が高い。それに比べて、本発明では、複数の吸音パネルを用いるだけでよいので、排気サイレンサーを使用した従来例に比べて、設置コストが低減できる。
【００２４】
（３）また、吸音パネルは排気サイレンサーに比べて軽量であるため、現地での設置作業が簡単であり、設置作業時間が短くなる。
【００２５】
（４）さらに、吸音パネルは排気サイレンサーに比べて軽量であるため、吸音パネル（又は排気サイレンサー）を支持する骨組構造に使用する鋼材は径の小さいものを使用することが可能となる。
【発明を実施するための最良の形態】
【００２６】
以下、本発明に係る吸音パネルユニットを実施の形態に基づいて詳述する。なお、本発明は、以下の実施の形態に限定されるものではない。
【００２７】
（実施の形態１）
図１は実施の形態１に係る吸音パネルユニットの全体構成を簡略化して示す図である。１は屋外用機器であって、この屋外用機器１は周囲を防音壁２で覆われている。この屋外用機器１としては、熱ドラフト効果による空気の移動により排気を要する屋外用機器であって、例えば、コージェネレーションシステムに使用される機器や、冷却機（クーリングタワー）、チラー等の屋外熱源機器が例示される。屋外用機器１の上方には、吸音パネルユニット３が設置されている。この吸音パネルユニット３は複数の吸音パネル４（図６を参照）を有しており、後述するように、複数の吸音パネル４が水平面に対してほぼ９０度（略垂直状態）を成して所定方向に間隔をあけて配列されている。このように、吸音パネル４を間隔をあけて配置することにより、屋外用機器１から上方に熱ドラフト効果による空気の移動がなされるとともに、その際に屋外用機器１からの騒音が吸音パネル４間を通過して吸音され、その結果、屋外用機器１の騒音が外部に対して遮音されることになる。
【００２８】
なお、本発明は、少なくとも、吸音パネルは水平面に対して平行でない所定の角度を成して配列されていればよいが、特に、本実施の形態のように、水平面に対して略垂直状態で配列することにより、屋外用機器１から上方への空気の流れがより円滑になり、排気効果を低下させることがなく、また、吸音面積を大きくとることができるので、遮音効果も増大する。
【００２９】
ここで、吸音パネルユニット３に使用される吸音パネル４の具体的な構造は、図２〜図５に示すように、表面に多数の孔５が形成された金属製のパンチング板６に、例えばグラスウール等の吸音材７が内蔵されている。
【００３０】
図６は吸音パネルユニットの平面図であり、図７はその正面図であり、図８は吸音パネルユニットの取付状態を示す正面図である。
【００３１】
以下、図６〜図８を参照して、吸音パネルユニット３の具体的な構造を詳述する。吸音パネルユニット３は、基本的には、水平面に対して略垂直状態で間隔をあけて配列される複数の吸音パネル４と、複数の吸音パネル４を屋外用機器１の上方で支持する支持手段１０とを有する。支持手段１０は、図８に明らかに示すように、吸音パネル４の両側方にそれぞれ配置される長手状支持部材１１と、支持部材１１と吸音パネル４とを固定する固定具１２とから構成される。支持部材１１は例えばＩ型鋼であり、この支持部材１１は屋外用機器１の周囲に組み立てられた骨組構造１３の上部枠体１３ａに固定されている（図６参照）。骨組構造１３は防音壁取付用骨組構造であり、骨組構造１３の側部全面に防音壁（図示せず）が取付けられるようになっている。
【００３２】
支持部材１１と吸音パネル４との固定は、図９に示すように、吸音パネル４の側面４ａ上部と支持部材１１とを固定具１２（例えばＬ形ブラケット）を用いて固定されている。即ち、固定具１２を、吸音パネル４の側部４ａ及び支持部材１１にあてがって、ボルト１５，１６によって締結されている。
【００３３】
なお、本実施の形態における吸音パネルユニット３は、図１０に示すように、吸音パネル４の振れ防止のための振れ止め構造２０が備えられている。この振れ止め構造２０は、支持部材１１の下方に配置され、支持部材１１に対して平行な振止部材２１と、振止部材２１を固定する固定部材２２からなる。振止部材２１と各吸音パネル４とは、吸音パネル４の側面４ａ下部にボルト２３によって固定されている。また、固定部材２２は、骨組構造１３の支柱１３ｂに固定されている。こうして、吸音パネル４は、その上部が支持部材１１によって水平面に対して略垂直状態で支持されるとともに、その下部が振止部材２１によって固定されて振れが防止されている。
【００３４】
このように、本実施の形態に係る吸音パネルユニット３は、既存の骨組構造１３を使用するため、現地で容易に設置することが可能である。また、複数の吸音パネル４を間隔をあけて配列するだけの構成であるため、煙突等の障害物があれば、それを避けて設置することが可能となり、さらに、排気サイレンサーを使用する従来例に比べて、コストの低減を図ることができる。さらに、骨組構造１３に作用する荷重が小さくなるため、骨組構造１３を構成する鋼材は径の小さいものを使用できるという効果も奏する。
（実施の形態２）
【００３５】
上記実施の形態１では、１枚の吸音パネル４毎に間隔をあけて所定方向に配列したけれども、吸音パネル４を複数枚重ねた状態と、１枚の吸音パネル４の単独状態とが、所定方向に交互に配列するようにしてもよい。このように配列することにより、吸音力をさらに増大することができる。
（その他の事項）
（１）本発明は、水平面に対して略垂直に複数の吸音パネルが配置される構造に限定さるものではなく、水平面に対して平行でない所定の角度を成すように適宜配置するようにしてもよい。
【００３６】
（２）また、上記の例では、吸音パネルは一方向に等間隔で配置されたけれども、本発明はこれに限定されるものではなく、千鳥格子状やその他任意の配列であってもよく、また、吸音パネルの間隔は等間隔でなく、任意の間隔とするようにしてもよい。このような吸音パネルの配列・配置は、吸音パネルの支持部材に取付ける取付位置を変えれば容易に実現することができる。これによって、遮音効果を低下させることなく、配列・配置の自由度の高い吸音パネルの設置が可能となる。
【産業上の利用可能性】
【００３７】
本発明は、ドラフト効果による空気の移動により冷却を要する屋外用機器［例えば、コージェネレーションシステムに使用される機器や、冷却機（クーリングタワー）、チラー等の屋外熱源機器］の上方に設置され、屋外用機器から発せられる騒音を抑制する吸音パネルユニットに好適に実施することができる。
【図面の簡単な説明】
【００３８】
【図１】実施の形態１に係る吸音パネルユニットの全体構成を簡略化して示す図である。
【図２】実施の形態１に係る吸音パネルユニットに用いられる吸音パネルの正面図である。
【図３】実施の形態１に係る吸音パネルユニットに用いられる吸音パネルの平面図である。
【図４】図２の矢視Ａ−Ａ断面図である。
【図５】図２の矢視Ｂ−Ｂ断面図である。
【図６】実施の形態１に係る吸音パネルユニットの平面図である。
【図７】実施の形態１に係る吸音パネルユニットの正面図である。
【図８】実施の形態１に係る吸音パネルユニットの取付状態を示す正面図である。
【図９】支持部材と吸音パネルの固定状態を示す図である。
【図１０】振れ止め構造を示す図である。
【図１１】従来例の簡略化した正面図である。
【図１２】従来例の簡略化した平面図である。
【符号の説明】
【００３９】
１：屋外用機器                  ２：防音壁
３：吸音パネルユニット          ４：吸音パネル
５：孔                          ６：パンチング板
７：吸音材                    １０：支持手段
１１：長手状支持部材            １２：固定具
１３：骨組構造                １３ａ：骨組構造１３の上部枠体
【図１】
2006017393.tif 000003
【図２】
2006017393.tif 000004
【図３】
2006017393.tif 000005
【図４】
2006017393.tif 000006
【図５】
2006017393.tif 000007
【図６】
2006017393.tif 000008
【図７】
2006017393.tif 000009
【図８】
2006017393.tif 000010
【図９】
2006017393.tif 000011
【図１０】
2006017393.tif 000012
【図１１】
2006017393.tif 000013
【図１２】
2006017393.tif 000014